(57)【要約】【課題】近赤外領域の吸収率の低下を防止することができると共に、プラズマディスプレイ用フィルターの構造を単純化することができる近赤外吸収粘着フィルムを提供する。【解決手段】近赤外吸収粘着フィルム３に関する。無機系近赤外吸収色素１をバインダ２に添加して形成されている。【選択図】図１
2009265638.tif 000002
【特許請求の範囲】
【請求項１】
無機系近赤外吸収色素をバインダに添加して形成されていることを特徴とする近赤外吸収粘着フィルム。
【請求項２】
バインダの酸価が０．２５ｍｇＫＯＨ／ｇ以上であることを特徴とする請求項１に記載の近赤外吸収粘着フィルム。
【請求項３】
請求項１又は２に記載の近赤外吸収粘着フィルムが反射防止フィルムに貼り付けられていることを特徴とする近赤外吸収粘着層付き反射防止フィルム。
【請求項４】
請求項１又は２に記載の近赤外吸収粘着フィルムが電磁波シールドフィルムに貼り付けられていることを特徴とする近赤外吸収粘着層付き電磁波シールドフィルム。
【請求項５】
請求項１又は２に記載の近赤外吸収粘着フィルムを介して反射防止フィルム及び電磁波シールドフィルムが貼り合わされて形成されているもの、請求項３に記載の近赤外吸収粘着層付き反射防止フィルムの近赤外吸収粘着層に電磁波シールドフィルムが貼り付けられて形成されているもの、請求項４に記載の近赤外吸収粘着層付き電磁波シールドフィルムの近赤外吸収粘着層に反射防止フィルムが貼り付けられて形成されているもの、のいずれかであることを特徴とするプラズマディスプレイ用フィルター。
【発明の詳細な説明】
【技術分野】
【０００１】
本発明は、プラズマディスプレイ用フィルターの製造に用いられる近赤外吸収粘着フィルム、近赤外吸収粘着層付き反射防止フィルム、近赤外吸収粘着層付き電磁波シールドフィルム、近赤外線を吸収させるためにプラズマディスプレイに用いられるプラズマディスプレイ用フィルターに関するものである。
【背景技術】
【０００２】
従来、プラズマディスプレイ用フィルター９は、図１４に示すように、ジチオールニッケル、フタロシアニン、ジイモニウム等の有機系近赤外吸収色素１１（例えば、特許文献１−３参照。）を含有する近赤外吸収層１２の一方の側に粘着層１３を介して反射防止フィルム４を貼り合わせると共に、他方の側に粘着層１３を介して電磁波シールドフィルム６を貼り合わせることによって形成されている。
【０００３】
そして、反射防止フィルム４によって反射を防止し、電磁波シールドフィルム６によって電磁障害を防止すると共に、プラズマディスプレイパネルのセルに封入されているＮｅガスやＸｅガス等の不活性ガスの発光に由来する近赤外線を近赤外吸収層１２によって吸収することができるものである。特に近赤外線の波長は各種家電機器のリモコン装置の動作波長に近いので、上記のようにプラズマディスプレイ用フィルター９内に近赤外吸収層１２が設けてあると、家電機器の誤動作を防止することができるものである。
【０００４】
近年、近赤外吸収層１２に粘着性を付与し、この近赤外吸収層１２に直接反射防止フィルム４及び電磁波シールドフィルム６を貼り付けることによって、プラズマディスプレイ用フィルター９の構造を単純化することが検討されている。
【先行技術文献】
【特許文献】
【０００５】
【特許文献１】特開平９−２３０１３４号公報
【特許文献２】特開平１０−７８５０９号公報
【特許文献３】特開２０００−２０６３２３号公報
【発明の概要】
【発明が解決しようとする課題】
【０００６】
しかし、近赤外吸収層１２の粘着性が高くなると、有機系近赤外吸収色素１１は壊れて近赤外領域の吸収率が低下してしまうという問題が生じる。そうであるからといって、近赤外吸収層１２の粘着性を低くすると、反射防止フィルム４や電磁波シールドフィルム６が剥がれやすくなるという問題が生じる。
【０００７】
本発明は上記の点に鑑みてなされたものであり、近赤外領域の吸収率の低下を防止することができると共に、プラズマディスプレイ用フィルターの構造を単純化することができる近赤外吸収粘着フィルム、近赤外吸収粘着層付き反射防止フィルム、近赤外吸収粘着層付き電磁波シールドフィルム、プラズマディスプレイ用フィルターを提供することを目的とするものである。
【課題を解決するための手段】
【０００８】
本発明の請求項１に係る近赤外吸収粘着フィルムは、無機系近赤外吸収色素１をバインダ２に添加して形成されていることを特徴とするものである。
【０００９】
請求項２に係る発明は、請求項１において、バインダ２の酸価が０．２５ｍｇＫＯＨ／ｇ以上であることを特徴とするものである。
【００１０】
本発明の請求項３に係る近赤外吸収粘着層付き反射防止フィルムは、請求項１又は２に記載の近赤外吸収粘着フィルム３が反射防止フィルム４に貼り付けられていることを特徴とするものである。
【００１１】
本発明の請求項４に係る近赤外吸収粘着層付き電磁波シールドフィルムは、請求項１又は２に記載の近赤外吸収粘着フィルム３が電磁波シールドフィルム６に貼り付けられていることを特徴とするものである。
【００１２】
本発明の請求項５に係るプラズマディスプレイ用フィルターは、請求項１又は２に記載の近赤外吸収粘着フィルム３を介して反射防止フィルム４及び電磁波シールドフィルム６が貼り合わされて形成されているもの、請求項３に記載の近赤外吸収粘着層付き反射防止フィルム５の近赤外吸収粘着層８に電磁波シールドフィルム６が貼り付けられて形成されているもの、請求項４に記載の近赤外吸収粘着層付き電磁波シールドフィルム７の近赤外吸収粘着層８に反射防止フィルム４が貼り付けられて形成されているもの、のいずれかであることを特徴とするものである。
【発明の効果】
【００１３】
本発明の請求項１に係る近赤外吸収粘着フィルムによれば、無機系近赤外吸収色素が用いられていることによって、近赤外領域の吸収率の低下を防止することができると共に、別途粘着層を設ける必要がなくなり、プラズマディスプレイ用フィルターの構造を単純化することができるものである。
【００１４】
請求項２に係る発明によれば、バインダの酸価を高めることによって、ＨＡＺＥ（曇価）を低くすることができるものである。
【００１５】
本発明の請求項３に係る近赤外吸収粘着層付き反射防止フィルムによれば、近赤外吸収粘着層に無機系近赤外吸収色素が含有されていることによって、近赤外領域の吸収率の低下を防止することができると共に、別途粘着層を設ける必要がなくなり、プラズマディスプレイ用フィルターの構造を単純化することができるものである。
【００１６】
本発明の請求項４に係る近赤外吸収粘着層付き電磁波シールドフィルムによれば、近赤外吸収粘着層に無機系近赤外吸収色素が含有されていることによって、近赤外領域の吸収率の低下を防止することができると共に、別途粘着層を設ける必要がなくなり、プラズマディスプレイ用フィルターの構造を単純化することができるものである。
【００１７】
本発明の請求項５に係るプラズマディスプレイ用フィルターによれば、無機系近赤外吸収色素を含有する近赤外吸収粘着層によって、近赤外領域の吸収率の低下を防止しつつ、近赤外線を吸収させることができるものであり、しかも従来のプラズマディスプレイ用フィルターに比べて構造が単純化されているものである。
【図面の簡単な説明】
【００１８】
【図１】本発明に係る近赤外吸収粘着フィルムを示すものであり、（ａ）（ｂ）は断面図である。
【図２】本発明に係る近赤外吸収粘着層付き反射防止フィルムを示すものであり、（ａ）（ｂ）は断面図である。
【図３】本発明に係る近赤外吸収粘着層付き電磁波シールドフィルムを示すものであり、（ａ）（ｂ）は断面図である。
【図４】本発明に係るプラズマディスプレイ用フィルターの一例を示す断面図である。
【図５】実施例１の近赤外吸収粘着フィルムの試験前後の透過率スペクトルである。
【図６】実施例２の近赤外吸収粘着フィルムの試験前後の透過率スペクトルである。
【図７】実施例３の近赤外吸収粘着フィルムの試験前後の透過率スペクトルである。
【図８】実施例４の近赤外吸収粘着フィルムの試験前後の透過率スペクトルである。
【図９】実施例５の近赤外吸収粘着フィルムの試験前後の透過率スペクトルである。
【図１０】実施例６のプラズマディスプレイ用フィルターの試験前後の透過率スペクトルである。
【図１１】実施例７の近赤外吸収粘着フィルムの試験前後の透過率スペクトルである。
【図１２】実施例８の近赤外吸収粘着フィルムの試験前後の透過率スペクトルである。
【図１３】比較例１の近赤外吸収粘着フィルムの試験前後の透過率スペクトルである。
【図１４】従来のプラズマディスプレイ用フィルターの一例を示す断面図である。
【発明を実施するための形態】
【００１９】
以下、本発明の実施の形態を説明する。
【００２０】
図１（ａ）は本発明に係る近赤外吸収粘着フィルムの一例を示すものであり、この近赤外吸収粘着フィルム３は、無機系近赤外吸収色素１をバインダ２に添加することによって形成されている。
【００２１】
ここで、無機系近赤外吸収色素１としては、タングステン酸化物微粒子、複合タングステン酸化物微粒子等を用いることができる。タングステン酸化物微粒子としては、例えば、一般式ＷｙＯｚ（Ｗ：タングステン、Ｏ：酸素、２.２≦ｚ/ｙ≦２.９９９）で表されるものを用いることができ、また複合タングステン酸化物微粒子としては、例えば、一般式ＭｘＷｙＯｚ（Ｍ：陽性元素；Ｍは、Ｈ、Ｈｅ、アルカリ金属、アルカリ土類金属、希土類元素、Ｍｇ、Ｚｒ、Ｃｒ、Ｍｎ、Ｆｅ、Ｒｕ、Ｃｏ、Ｒｈ、Ｉｒ、Ｎｉ、Ｐｄ、Ｐｔ、Ｃｕ、Ａｇ、Ａｕ、Ｚｎ、Ｃｄ、Ａｌ、Ｇａ、Ｉｎ、Ｔｌ、Ｓｉ、Ｇｅ、Ｓｎ、Ｐｂ、Ｓｂ、Ｂ、Ｆ、Ｐ、Ｓ、Ｓｅ、Ｂｒ、Ｔｅ、Ｔｉ、Ｎｂ、Ｖ、Ｍｏ、Ｔａ、Ｒｅ、Ｂｅ、Ｈｆ、Ｏｓ、Ｂｉ、Ｉのうちから選択される１種類以上の元素、Ｗ：タングステン、Ｏ：酸素、０.００１≦ｘ/ｙ≦１、２.２≦ｚ/ｙ≦３.０）で表されるものを用いることができる。また、無機系近赤外吸収色素１の平均粒子径は０．０００１〜１０μｍに設定することができ、この平均粒子径は大塚電子（株）製「濃厚粒径アナライザーＦＰＡＲ−１０００」等によって測定することができる。また無機系近赤外吸収色素１の添加量は、無機系近赤外吸収色素１及びバインダ２の全量に対して、０．１〜７０質量％に設定することができる。
【００２２】
また、バインダ２としては、例えば、水酸基若しくはカルボキシル基等を含有するアクリレートオリゴマー単体、又は、水酸基若しくはカルボキシル基等を含有する２種以上のアクリレートオリゴマーと、メチレンジイソシアネートに代表されるイソシアネート架橋剤とを含有する光学部材用粘着剤組成物等を用いることができ、さらにこの光学部材用粘着剤組成物等を酢酸エチル、トルエン、メチルエチルケトン（ＭＥＫ）等の溶剤に溶解して樹脂分を０．０１〜５０質量％に設定したものを用いることもできる。
【００２３】
上記のようにバインダ２は粘着性を有することになるので、これに有機系近赤外吸収色素１１を添加すると、この色素が壊れて近赤外領域の吸収率が低下してしまう。しかし、無機系近赤外吸収色素１は耐久性を有しているので、粘着性を有するバインダ２に添加しても、壊れて近赤外領域の吸収率が低下することがない。よって、無機系近赤外吸収色素１をバインダ２に添加すれば、粘着性を有する近赤外吸収層１２（近赤外吸収粘着層８）を形成するための近赤外吸収粘着フィルム３を容易に得ることができるものである。
【００２４】
しかし、単に無機系近赤外吸収色素１をバインダ２に添加しただけでは、近赤外吸収粘着フィルム３のＨＡＺＥ（曇価）が高くなって、光学フィルムとしては使用できなくなるおそれがある。そこで、バインダ２の酸価を０．２５ｍｇＫＯＨ／ｇ以上に設定するのが好ましく、１．０ｍｇＫＯＨ／ｇ以上（上限は５００ｍｇＫＯＨ／ｇ）に設定するのがより好ましい。ここで、バインダ２の酸価の調整は、例えば、バインダ２を構成する成分のうちカルボキシル基を含有するモノマーの量を増減させることによって行うことができる。そしてこのようにバインダ２の酸価を高めることによって、ＨＡＺＥ（曇価）を低くすることができるものである。しかし、バインダ２の酸価が０．２５ｍｇＫＯＨ／ｇ未満であると、ＨＡＺＥ（曇価）が高くなったり、粘着性が低くなったりするおそれがある。なお、バインダ２の酸価はＪＩＳ  Ｋ  ２５０１に基づいて測定することができる。
【００２５】
図１（ｂ）は本発明に係る近赤外吸収粘着フィルムの他の一例を示すものであり、この近赤外吸収粘着フィルム３の両面には離型フィルム１０が貼り付けられている。ここで、離型フィルム１０としては、近赤外吸収粘着フィルム３に貼り付けられる面にあらかじめシリコン離型剤が塗布されたポリエチレンテレフタレート（ＰＥＴ）フィルム（厚さ３８μｍ程度）等を用いることができる。このような離型フィルム１０が近赤外吸収粘着フィルム３の両面に貼り付けられていることによって、粘着性を有する近赤外吸収粘着フィルム３の取扱い性を向上させることができるものである。通常、このような近赤外吸収粘着フィルム３は、無機系近赤外吸収色素１を添加したバインダ２を一方の離型フィルム１０の表面に塗布し、この塗布面に他方の離型フィルム１０を重ねて、上記バインダ２を乾燥させることによって製造することができる。
【００２６】
以上のように、図１に示す近赤外吸収粘着フィルム３にあっては、粘着性のあるバインダ２の中においても耐久性があって壊れにくい無機系近赤外吸収色素１が用いられているので、近赤外領域の吸収率の低下を防止することができるものである。また無機系近赤外吸収色素１は粘着性のあるバインダ２に添加されているので、別途粘着層１３を設ける必要がなくなり、後述の図４に示すようにプラズマディスプレイ用フィルター９の構造を単純化することができるものである。
【００２７】
図２（ａ）は本発明に係る近赤外吸収粘着層付き反射防止フィルムの一例を示すものであり、この近赤外吸収粘着層付き反射防止フィルム５は、近赤外吸収粘着フィルム３が近赤外吸収粘着層８として反射防止フィルム４に貼り付けられて形成されている。つまり、バインダ２が有する粘着性によって近赤外吸収粘着フィルム３が反射防止フィルム４に直接貼り付けられているものである。この反射防止フィルム４は、透明基体に対して低屈折率層と高屈折率層とを、低屈折率層／高屈折率層／透明基体の順で積層して形成することができる。例えば、低屈折率層を透明フッ素樹脂にて形成し、高屈折率層をアクリル樹脂等にて形成することができる。この高屈折率層や低屈折率層は、溶液流延法等の手法で形成することができる。反射防止フィルム４の厚さは適宜調整されるが、好ましくは低屈折率層と高屈折率層の厚さの総計が０．１〜５０μｍの範囲となるようにする。具体的には、日本油脂（株）製「リアルック９１００」「リアルック８２０１ＵＶ」、住友大阪セメント（株）製「クリアラス１１００」等を反射防止フィルム４として用いることができる。
【００２８】
図２（ｂ）は本発明に係る近赤外吸収粘着層付き反射防止フィルムの他の一例を示すものであり、この近赤外吸収粘着層付き反射防止フィルム５は、図１（ｂ）に示す近赤外吸収粘着フィルム３の一方の離型フィルム１０を剥がし、この面に反射防止フィルム４を貼り付けることによって製造することができる。この場合、他方の離型フィルム１０は剥がしていないので、近赤外吸収粘着層付き反射防止フィルム５の取扱い性を向上させることができるものである。
【００２９】
以上のように、図２に示す近赤外吸収粘着層付き反射防止フィルム５にあっては、近赤外吸収粘着層８に無機系近赤外吸収色素１が含有されているので、近赤外領域の吸収率の低下を防止することができるものである。また無機系近赤外吸収色素１は粘着性のあるバインダ２に添加されているので、別途粘着層１３を設ける必要がなくなり、後述の図４に示すようにプラズマディスプレイ用フィルター９の構造を単純化することができるものである。
【００３０】
図３（ａ）は本発明に係る近赤外吸収粘着層付き電磁波シールドフィルムの一例を示すものであり、この近赤外吸収粘着層付き電磁波シールドフィルム７は、近赤外吸収粘着フィルム３が近赤外吸収粘着層８として電磁波シールドフィルム６に貼り付けられて形成されている。ここで、電磁波シールドフィルム６としては、例えば、東洋紡績（株）製「コスモシャインＡ４３００」等のポリエステルフィルムに透明エポキシ系接着剤で電解銅箔等の金属箔を貼り合わせ、この金属箔をフォトリソ法で格子状パターンにエッチングすると共にこの格子状パターンを黒色化処理したもの等を用いることができる。
【００３１】
図３（ｂ）は本発明に係る近赤外吸収粘着層付き電磁波シールドフィルムの他の一例を示すものであり、この近赤外吸収粘着層付き電磁波シールドフィルム７は、図１（ｂ）に示す近赤外吸収粘着フィルム３の一方の離型フィルム１０を剥がし、この面に電磁波シールドフィルム６を貼り付けることによって製造することができる。この場合、他方の離型フィルム１０は剥がしていないので、近赤外吸収粘着層付き電磁波シールドフィルム７の取扱い性を向上させることができるものである。
【００３２】
以上のように、図３に示す近赤外吸収粘着層付き電磁波シールドフィルム７にあっては、近赤外吸収粘着層８に無機系近赤外吸収色素１が含有されているので、近赤外領域の吸収率の低下を防止することができるものである。また無機系近赤外吸収色素１は粘着性のあるバインダ２に添加されているので、別途粘着層１３を設ける必要がなくなり、後述の図４に示すようにプラズマディスプレイ用フィルター９の構造を単純化することができるものである。
【００３３】
図４は本発明に係るプラズマディスプレイ用フィルターの一例を示すものであり、このプラズマディスプレイ用フィルター９は、近赤外吸収粘着フィルム３を介して反射防止フィルム４及び電磁波シールドフィルム６が貼り合わされて形成されている。近赤外吸収粘着フィルム３は近赤外吸収粘着層８となる。通常、このプラズマディスプレイ用フィルター９は、図１（ｂ）に示す近赤外吸収粘着フィルム３の一方の離型フィルム１０を剥がし、この面に反射防止フィルム４を貼り付けると共に、他方の離型フィルム１０を剥がし、この面に電磁波シールドフィルム６を貼り付けることによって製造することができる。
【００３４】
またプラズマディスプレイ用フィルター９は、近赤外吸収粘着層付き反射防止フィルム５の近赤外吸収粘着層８に電磁波シールドフィルム６が貼り付けられて形成されていてもよい。この場合、図２（ｂ）に示す近赤外吸収粘着層付き反射防止フィルム５の離型フィルム１０を剥がし、この面に電磁波シールドフィルム６を貼り付けることによってプラズマディスプレイ用フィルター９を製造することができる。
【００３５】
またプラズマディスプレイ用フィルター９は、近赤外吸収粘着層付き電磁波シールドフィルム７の近赤外吸収粘着層８に反射防止フィルム４が貼り付けられて形成されていてもよい。この場合、図３（ｂ）に示す近赤外吸収粘着層付き電磁波シールドフィルム７の離型フィルム１０を剥がし、この面に反射防止フィルム４を貼り付けることによってプラズマディスプレイ用フィルター９を製造することができる。
【００３６】
以上のように、図４に示すプラズマディスプレイ用フィルター９にあっては、無機系近赤外吸収色素１を含有する近赤外吸収粘着層８によって、近赤外領域の吸収率の低下を防止しつつ、近赤外線を吸収させることができるものである。しかも、図１４に示す従来のプラズマディスプレイ用フィルター９では、耐久性がなく壊れやすい有機系近赤外色素が用いられていたので、近赤外吸収層１２と粘着層１３とを分けて設けなければならなかったが、本発明では、耐久性があって壊れにくい無機系近赤外色素を用いているので、近赤外吸収粘着層８として近赤外吸収層１２と粘着層１３とを一体化して設けることが可能となり、その結果、この近赤外吸収粘着層８に直接反射防止フィルム４及び電磁波シールドフィルム６を貼り付けることができるようになったので、従来のプラズマディスプレイ用フィルター９に比べて構造を単純化することができるものである。
【実施例】
【００３７】
以下、本発明を実施例によって具体的に説明する。
【００３８】
近赤外吸収色素として、下記［表１］に示すように、実施例１〜８では無機系のもの、比較例１では有機系のものを用いた。
【００３９】
バインダ２（粘着剤及び硬化剤）として、下記［表１］に示すようなものを用いた。なお、バインダ２の酸価を下記［表１］に示す。
【００４０】
そして、実施例１〜８では、粘着剤１００ｇに「ＹＭＦ−０２Ａ」を１６ｇ添加し、硬化剤２ｇを加えた。この近赤外吸収色素を添加したバインダ２を離型フィルム１０の表面に隙間寸法１００μｍのバーコータ（ヨシミツ精機（株）製「ドクターブレードＹＤ−２型」）を用いて塗布し、この塗布面に別の離型フィルム１０を重ね、８０℃で３分間加熱して、上記バインダ２を乾燥させることによって、図１（ｂ）に示すような近赤外吸収粘着フィルム３を製造した。
【００４１】
さらに、実施例６では、上記のようにして得られた近赤外吸収粘着フィルム３の一方の離型フィルム１０を剥がし、この面に反射防止フィルム４を貼り付けると共に、他方の離型フィルム１０を剥がし、この面に電磁波シールドフィルム６を貼り付けることによって、プラズマディスプレイ用フィルター９を製造した。なお、反射防止フィルム４としては、日本油脂（株）製「リアルック８２０１ＵＶ」を用い、電磁波シールドフィルム６としては、東洋紡績（株）製「コスモシャインＡ４３００」（厚さ１００μｍ）に透明エポキシ系接着剤で電解銅箔（１２μｍ）を貼り合わせ、この金属箔をフォトリソ法でライン／ピッチが１２／３００μｍの格子状パターンにエッチングすると共にこの格子状パターンを黒色化処理したものを用いた。
【００４２】
また、比較例１では、「ＳＫダイン２０９４」を１００質量部、「ＳＫダイン２０９４用硬化剤」を１００質量部、溶媒としてメチルエチルケトンを８０質量部、「ＩＲＧ−０２２」（イモニウム化合物）を０．５９質量部及び「ＩＲ−１０Ａ」（フタロシアニン化合物）を０．３１質量部（「ＩＲＧ−０２２」「ＩＲ−１０Ａ」は共に有機系近赤外吸収色素１１）を混合して溶解させた。この近赤外吸収色素を添加したバインダ２を離型フィルム１０の表面に隙間寸法１００μｍのバーコータ（ヨシミツ精機（株）製「ドクターブレードＹＤ−２型」）を用いて塗布し、この塗布面に別の離型フィルム１０を重ね、８０℃で３分間加熱して、上記バインダ２を乾燥させることによって、図１（ｂ）に示すような近赤外吸収粘着フィルム３を製造した。
【００４３】
このようにして得られた実施例１〜５，７，８及び比較例１の近赤外吸収粘着フィルム３並びに実施例６のプラズマディスプレイ用フィルター９を８０℃で５００時間乾燥させる試験を行い、目視分光光度計を用いて試験前後の透過率を測定することによって、近赤外領域の吸収率の低下の有無を確認した。その結果を図５〜図１３に示す。なお、試験前後において波長８５０〜１１００ｎｍの近赤外線の透過率が２０％以上上昇したものは、近赤外領域の吸収率が低下したものとみなし、２０％未満であったものは、近赤外領域の吸収率が低下しなかったものとみなした。
【００４４】
また、上記プラズマディスプレイ用フィルター９について、ＪＩＳ  Ｋ７１３６−２０００に基づいてＨＡＺＥ（曇価）を測定した。
【００４５】
以上の結果を下記［表１］に示す。
【００４６】
【表１】
2009265638.tif 000003
【００４７】
有機系近赤外吸収色素１１を用いた比較例１では図１３のように近赤外領域の吸収率の低下がみられたのに対し、無機系近赤外吸収色素１を用いた実施例１〜７では図５〜図１２のように近赤外領域の吸収率の低下はみられなかった。
【００４８】
また、バインダ２の酸価が０．２５ｍｇＫＯＨ／ｇ未満の実施例７ではＨＡＺＥ（曇価）が高かったのに対し、バインダ２の酸価が０．２５ｍｇＫＯＨ／ｇを超える実施例１〜６，８ではＨＡＺＥ（曇価）が低かった。
【符号の説明】
【００４９】
１  無機系近赤外吸収色素
２  バインダ
３  近赤外吸収粘着フィルム
４  反射防止フィルム
５  近赤外吸収粘着層付き反射防止フィルム
６  電磁波シールドフィルム
７  近赤外吸収粘着層付き電磁波シールドフィルム
８  近赤外吸収粘着層
９  プラズマディスプレイ用フィルター
【図１】
2009265638.tif 000004
【図２】
2009265638.tif 000005
【図３】
2009265638.tif 000006
【図４】
2009265638.tif 000007
【図５】
2009265638.tif 000008
【図６】
2009265638.tif 000009
【図７】
2009265638.tif 000010
【図８】
2009265638.tif 000011
【図９】
2009265638.tif 000012
【図１０】
2009265638.tif 000013
【図１１】
2009265638.tif 000014
【図１２】
2009265638.tif 000015
【図１３】
2009265638.tif 000016
【図１４】
2009265638.tif 000017